(57)【要約】  【課題】ヒータが取り付けられているかどうかを判定するための技術を提供すること。  【解決手段】定着部１８は、光センサ６５により検出されるハロゲンヒータ４１ａの発光状態（光量）に基づき、正しい種類のハロゲンヒータ４１ａが適切に取り付けられているか否かを判定することができる。ここでは、光センサ６５により検出される発光状態が、正しい種類のハロゲンヒータ４１ａが適切に取り付けられているときの発光状態となっているか否かをチェックし、正しい種類のハロゲンヒータ４１ａが適切に取り付けられているときの発光状態となっていれば、適切に取り付けられていると判定する一方、ハロゲンヒータ４１ａが適切に取り付けられていないときの発光状態と異なっていれば、適切に取り付けられていないと判定する。【選択図】図２
2005044752.tif 000002
【特許請求の範囲】
【請求項１】
外部からの電源供給により発光を伴って発熱するヒータが取り付けられてなる加熱装置であって、
前記ヒータが発する光を受光することにより、該ヒータの発光状態を検出する発光検出手段と、
該発光検出手段により検出された発光状態に基づいて、当該加熱装置にヒータが適切に取り付けられているか否かを判定する取付判定手段と、を備えている
ことを特徴とする加熱装置。
【請求項２】
前記取付判定手段は、前記発光検出手段により検出された発光状態が、当該加熱装置にヒータが正しく取り付けられている場合における発光状態と異なっている場合、ヒータが適切に取り付けられていないと判定する
ことを特徴とする請求項１に記載の加熱装置。
【請求項３】
前記取付判定手段は、前記発光検出手段により検出された発光状態が、当該加熱装置に正しい種類のヒータが取り付けられた場合における発光状態と異なっている場合、当該加熱装置に間違った種類のヒータが取り付けられていると判定する
ことを特徴とする請求項１に記載の加熱装置。
【請求項４】
前記発光検出手段は、前記ヒータが発する光の光量を検出して、
前記取付判定手段は、前記発光検出手段により検出された光量が、当該加熱装置にヒータが正しく取り付けられた場合における光量と異なっている場合、ヒータが適切に取り付けられていないと判定する
ことを特徴とする請求項１から３のいずれかに記載の加熱装置。
【請求項５】
前記取付判定手段によりヒータが適切に取り付けられていないと判定された場合、前記ヒータへの電源供給を停止させる第１停止手段を備えている
ことを特徴とする請求項１から４のいずれかに記載の加熱装置。
【請求項６】
前記取付判定手段によりヒータが適切に取り付けられていないと判定された場合、ヒータが適切に取り付けられていない旨を報知する第１報知手段を備えている
ことを特徴とする請求項１から５のいずれかに記載の加熱装置。
【請求項７】
前記発光検出手段によって検出されたヒータが発する光の発光パターンに基づいて、加熱装置が劣化しているか否かを判定する劣化判定手段を備えている
ことを特徴とする請求項１から６のいずれかに記載の加熱装置。
【請求項８】
前記劣化判定手段は、前記発光検出手段によって検出されたヒータが発する光の発光パターンが、ヒータが劣化していない場合における発光パターンと異なっている場合、当該加熱装置に取り付けられているヒータが劣化していると判定する
ことを特徴とする請求項７に記載の加熱装置。
【請求項９】
温度を検出する温度検出手段を備え、該温度検出手段の検出結果に基づいて前記ヒータへの電源供給を制御するように構成されており、
前記劣化判定手段は、前記発光検出手段によって検出されたヒータが発する光の発光パターンが、前記温度検出手段が劣化していない場合における発光パターンと異なっている場合、前記温度検出手段が劣化していると判定する
ことを特徴とする請求項７に記載の加熱装置。
【請求項１０】
前記劣化判定手段は、前記発光検出手段により検出された光の発光パターンが、当該加熱装置としての機能を維持できる程度の劣化であると想定される発光パターンである場合、加熱装置に軽度の劣化が発生していると判定する
ことを特徴とする請求項７から９のいずれかに記載の加熱装置。
【請求項１１】
前記劣化判定手段は、前記発光検出手段により検出された光の発光パターンが、当該加熱装置としての機能を維持できない程度の劣化であると想定される発光パターンである場合、加熱装置に重度の劣化が発生していると判定する
ことを特徴とする請求項７から１０のいずれかに記載の加熱装置。
【請求項１２】
前記劣化判定手段により加熱装置に重度の劣化が発生していると判定された場合、前記ヒータへの電源供給を停止させる第２停止手段を備えている
ことを特徴とする請求項１１に記載の加熱装置。
【請求項１３】
前記劣化判定手段により加熱装置が劣化していると判定された場合、加熱装置が劣化している旨を報知する第２報知手段を備えている
ことを特徴とする請求項７から１２のいずれかに記載の加熱装置。
【請求項１４】
前記劣化判定手段は、前記発光検出手段によって検出されたヒータが発する光の発光期間が、加熱装置が劣化していない場合における発光期間よりも長い場合に、加熱装置が劣化していると判定する
ことを特徴とする請求項７から１３のいずれかに記載の加熱装置。
【請求項１５】
回動可能に保持された像担持体と、該像担持体を帯電する帯電手段と、該帯電手段により帯電された前記像担持体に静電潜像を形成する潜像形成手段と、該潜像形成手段により形成された静電潜像に現像剤を付着させて現像する現像手段と、該現像手段により現像された現像剤像を印刷媒体に転写する転写手段と、該転写手段により印刷媒体に転写された現像剤像を加熱して定着させる定着手段と、を備える画像形成装置であって、
前記定着手段は、請求項１から１４のいずれかに記載の加熱装置からなることを特徴とする画像形成装置。
【発明の詳細な説明】
【技術分野】
【０００１】
本発明は、ヒータにより加熱対象を加熱する加熱装置、および、この加熱装置を備えた画像形成装置に関する。
【背景技術】
【０００２】
従来から、ヒータにより加熱対象を加熱する加熱装置が種々の装置において使用されている。例えば、画像形成装置においては、印刷媒体に転写させた現像剤像を加熱して定着させるために、上述の加熱装置（定着器）が備えられている。
【０００３】
この種の加熱装置では、ヒータの温度を検出するサーミスタなどの温度検出手段を有しており、この温度検出手段により検出されるヒータの温度に基づいてヒータへの電源供給を制御することが一般的である。
【０００４】
このような加熱装置では、ヒータが暴走してしまうとヒータの温度が必要以上に上昇してしまい危険である。
そこで、このような不具合を防止するための技術として、ヒータから発せられる光を受光するフォトダイオードを設け、ヒータに対して点灯指令を行っていない時にヒータが点灯したことをフォトダイオードを介して検出した場合は、ヒータへの電力供給を遮断する、といった技術が提案されている（特許文献１参照）。
【特許文献１】特開平５−３３３９４５号公報（段落［００１３］など）
【発明の開示】
【発明が解決しようとする課題】
【０００５】
ところで、加熱装置が有するヒータは、例えば、定格電圧、定格電力などに応じて様々な種類が存在しており、電源供給に伴う温度上昇も種類によって異なっている。そのため、加熱装置の製造工程においては、その加熱装置が備えられる装置側の用途に合った種類のものが取り付けられることになるが、ヒータには、大きさや形状が類似していても種類の異なるものが存在するため、本来取り付けるべきヒータとは異なる種類のものが間違って取り付けられてしまう等、加熱装置に対してヒータが適切に取り付けられていない恐れがある。
【０００６】
しかしながら、上述した特許文献１に記載の技術等の従来技術では、ヒータが適切に取り付けられているか否かの判定がなされていなかった。
本発明は、上記課題を解決するためになされたものであり、その目的は、ヒータが適切に取り付けられているかどうかを判定するための技術を提供することである。
【課題を解決するための手段】
【０００７】
上記課題を解決するため請求項１に記載の加熱装置は、外部からの電源供給により発光を伴って発熱するヒータが取り付けられてなる加熱装置であって、発光検出手段および取付判定手段を備えている。これらのうち、発光検出手段は、ヒータが発する光を受光することにより、該ヒータの発光状態を検出する手段である。また、取付判定手段は、発光検出手段により検出された発光状態に基づいて、加熱装置にヒータが適切に取り付けられているか否かを判定する手段である。
【０００８】
このように構成された加熱装置によれば、発光検出手段により検出された発光状態に基づいて、加熱装置にヒータが適切に取り付けられているか否かを判定することができる。
なお、上述した取付判定手段は、加熱装置にヒータが適切に取り付けられているか否かを、発光検出手段により検出された発光状態に基づいて判定する手段であって、例えば、請求項２に記載のように、発光検出手段により検出された発光状態が、加熱装置にヒータが正しく取り付けられている場合における発光状態と異なっている場合に、ヒータが適切に取り付けられていないと判定する、ように構成するとよい。
【０００９】
このように構成すれば、発光検出手段により検出される発光状態が、ヒータが適切に取り付けられているときと同じ発光状態となっているか否かをチェックし、ヒータが適切に取り付けられている場合における発光状態となっていれば、適切に取り付けられていると判定して、一方、ヒータが適切に取り付けられていない場合における発光状態と異なっていれば、適切に取り付けられていないと判定することができる。
【００１０】
この構成における取付判定手段は、例えば、加熱装置にヒータが正しく取り付けられた状態で、ヒータが正常に作動する場合におけるヒータの発光状態をあらかじめ測定しておき、この発光状態と比較する、といった方法により判定を行うように構成すればよい。
【００１１】
ところで、上述したヒータは、例えば、定格電圧、定格電力などに応じて様々な種類が存在し、電源供給に伴う温度上昇も種類によって異なっているが、ヒータの中には、大きさや形状が類似していても種類の異なるものが存在する。そのため、加熱装置の製造工程においては、その加熱装置を使用する装置側の用途に合っていない種類のものが間違って取り付けられてしまう恐れがある。
【００１２】
そこで、取付判定手段は、請求項３に記載のように、発光検出手段により検出された発光状態が、加熱装置に正しい種類のヒータが取り付けられた場合における発光状態と異なっている場合に、加熱装置に間違った種類のヒータが取り付けられていると判定する、ように構成するとよい。
【００１３】
このように構成すれば、発光検出手段により検出される発光状態が、正しい種類のヒータが適切に取り付けられているときと同じ発光状態となっているか否かをチェックし、正しい種類のヒータが取り付けられた場合における発光状態となっていれば、加熱装置にヒータが適切に取り付けられていると判定して、一方、加熱装置に正しい種類のヒータが取り付けられた場合における発光状態と異なっていれば、加熱装置にヒータが適切に取り付けられていないと判定することができる。
【００１４】
この構成における取付判定手段は、例えば、加熱装置に正しい種類のヒータが取り付けられた場合におけるヒータの発光状態をあらかじめ測定しておき、この発光状態と比較する、といった方法により判定を行うように構成すればよい。
【００１５】
また、取付判定手段が判定を行う際に参照する「発光状態」としては、例えば、発光検出手段により検出される光の光量（または、光のレベル、光強度）などを採用することができる。
【００１６】
このためには、請求項４に記載のように、発光検出手段は、ヒータが発する光の光量を検出して、取付判定手段は、発光検出手段により検出された光量が、加熱装置にヒータが正しく取り付けられた場合における光量と異なっている場合、ヒータが適切に取り付けられていないと判定する、ように構成すればよい。
【００１７】
このように構成すれば、ヒータが発熱に伴って発する光の光量に基づいてヒータが適切に取り付けられているか否かを判定することができる。
また、加熱装置はヒータへの電源供給が行われた際、この電源供給に反応して所定のパターンで発熱して発光するため、このときの発光のパターンを取付判定手段が判定を行う際に参照する「発光状態」として採用することも考えられる。
【００１８】
このためには、例えば、発光検出手段は、ヒータが発する光の発光パターンを検出して、取付判定手段は、発光検出手段により検出された発光パターンが、加熱装置にヒータが正しく取り付けられた場合における発光パターンと異なっている場合、ヒータが適切に取り付けられていないと判定する、ように構成すればよい。
【００１９】
このように構成すれば、ヒータが発熱に伴って発光する際の発光パターンに基づいてヒータが適切に取り付けられているか否かを判定することができる。
なお、上述の「発光パターン」とは、例えば、ヒータが発光している期間、発光している期間と発光していない期間により規定されるパターン、ヒータが発する光量の変化により規定されるパターンなどである。
【００２０】
また、上述の加熱装置においては、取付判定手段によりヒータが適切に取り付けられていないと判定された場合、加熱装置自体が正常に動作していないことになるため、請求項５に記載のように、第１停止手段によりヒータへの電源供給を停止させるように構成することが望ましい。
【００２１】
このように構成された加熱装置によれば、加熱装置自体が正常に動作していない状態が継続することがないため、例えば、不必要に温度が上昇してしまい加熱装置および加熱装置が備えられている装置側に不必要な温度上昇に起因する何らかの悪影響を与えてしまうことを防止できる。
【００２２】
なお、上述の第１停止手段は、ヒータへの電源供給を停止させる手段であって、例えば、ヒータへの電源供給を行う電源部に対して電源供給の停止を指令するように構成すればよい。また、ヒータへ電源供給を行うための経路中にスイッチ素子を設けておき、このスイッチ素子を開放することにより電源供給を停止させるように構成してもよい。
【００２３】
また、取付判定手段によりヒータが適切に取り付けられていないと判定された場合には、その旨を利用者が確認できることが望ましく、そのためには、請求項６に記載のように、取付判定手段によりヒータが適切に取り付けられていないと判定された場合にその旨を報知する第１報知手段を備えるとよい。
【００２４】
このように構成された加熱装置によれば、例えば、ヒータの取付作業を行った作業者は、第１報知手段の報知によりヒータが適切に取り付けられていないことを確認することができ、その旨を確認した後で、ヒータを適切に取り付け直すといった対応を迅速にとることができる。また、加熱装置を利用する利用者は、第１報知手段の報知によりヒータが適切に取り付けられていないことを確認することができ、その旨を確認した後で、ヒータを適切に取り付け直したり、サービスマンに修理を依頼するなどといった対応を迅速にとることができる。
【００２５】
また、請求項７に記載の加熱装置は、光検出手段によって検出されたヒータが発する光の発光パターンに基づいて、加熱装置が劣化しているか否かを判定する劣化判定手段を備えている。
【００２６】
このように構成された加熱装置によれば、ヒータの発光パターンに基づいて加熱装置が劣化しているか否かを判定することができる。
また、故障の程度によっては、加熱装置だけでなく、この加熱装置が使用されている装置側にも故障による悪影響を与えてしまう恐れがある。そのため、請求項７に記載のように、加熱装置が劣化した状態、つまり、故障に至る前の状態になったことを判定できることは、加熱装置および加熱装置が使用されている装置側に加熱装置の故障に起因する何らかの悪影響を与えることを防止するためには好適である。
【００２７】
また、加熱装置の劣化は、例えば、ヒータの発熱状態（温度や温度変化）に基づいて判定することも考えられるが、ヒータの発熱状態を検出するための温度センサは、一般的に、ヒータに密着させておかなければ充分な精度で発熱状態を検出することができない。一方、ヒータの発光パターンは、ヒータから発せられる光を受光できるように光検出手段を配設すれば、ヒータに密着させなくても充分な精度で検出できるため、ヒータの発熱状態に基づいて判定する場合と比べて、光検出手段を配設するのに要する手間が削減できる。
【００２８】
さらに、請求項７に記載の構成において、加熱装置の劣化状態を判定するために使用される発光検出手段は、ヒータの発光状態を検出できればよいため、上述したヒータの取付状態を判定する発光検出手段にて兼用することができる。そのため、加熱装置全体としての構成の単純化、および、製造コストの抑制といったことが実現できる。
【００２９】
なお、この構成において、加熱装置が劣化していない場合と異なる発光パターンは、ヒータが正常に発熱して発光していない状態における発光パターンであるため、劣化判定手段により判定される「加熱装置の劣化」とは、請求項８に記載のように「加熱装置に取り付けられているヒータの劣化」を示している。これにより、加熱装置に取り付けられているヒータが劣化しているか否かを劣化判定手段により判定することができる。
【００３０】
また、加熱装置が、ヒータの温度を検出する温度検出手段を備え、この温度検出手段により検出されるヒータの温度に基づいてヒータへの電源供給を制御するように構成されている場合であれば、温度検出手段が劣化していない場合と異なる発光パターンになっている状態は、ヒータが正常に発熱して発光しているにも拘わらず温度検出手段が正常に発光パターンを検出できていない状態であるため、劣化判定手段により判定される「加熱装置の劣化」とは、請求項９に記載のように、「温度検出手段の劣化」を示している。これにより、加熱装置に取り付けられている温度検出手段が劣化しているか否かを劣化判定手段により判定することができる。
【００３１】
なお、上述した劣化判定手段は、ヒータの発光パターンに基づいて加熱装置が劣化しているか否かを判定できるが、どの程度の劣化であるかについても判定することができることが望ましい。
【００３２】
そこで、請求項１０に記載のように、劣化判定手段は、発光検出手段により検出された光の発光パターンが、加熱装置としての機能を維持できる程度の劣化であると想定される発光パターンである場合に、加熱装置に軽度の劣化が発生していると判定する、ように構成するとよい。
【００３３】
このように構成すれば、加熱装置に機能を維持できる程度の軽度な劣化が発生しているか否かを判定することができる。
また、請求項１１に記載のように、発光検出手段により検出された光の発光パターンが、加熱装置としての機能を維持できない程度の劣化であると想定される発光パターンである場合、加熱装置に重度の劣化が発生していると判定する、ように構成するとよい。
【００３４】
このように構成すれば、加熱装置に機能を維持できない程度の重度な劣化が発生しているか否かを判定することができる。
ここで、劣化判定手段により加熱装置に重度の劣化が発生していると判定された場合には、直ちに加熱装置を補修しなければならないことが予想されるため、請求項１２に記載のように、第２停止手段によりヒータへの電源供給を停止させるように構成することが望ましい。
【００３５】
このように構成すれば、直ちに加熱装置を補修しなければならないような状態で加熱装置が動作し続けることがないため、加熱装置が備えられている装置側に加熱装置の故障に起因する何らかの悪影響を与えてしまうことを防止するためには好適である。
【００３６】
なお、上述の第２停止手段は、ヒータへの電源供給を停止させる手段であって、例えば、ヒータへの電源供給を行う電源部に対して電源供給の停止を指令するように構成すればよい。また、ヒータへ電源供給を行うための経路中にスイッチ素子を設けておき、このスイッチ素子を開放することにより電源供給を停止させるように構成してもよい。
【００３７】
また、劣化判定手段により加熱装置に劣化が発生していると判定された場合には、その旨を利用者が確認できることが望ましく、そのためには、請求項１３に記載のように、取付判定手段によりヒータが適切に取り付けられていないと判定された場合にその旨を報知する第２報知手段を備えるとよい。
【００３８】
このように構成された加熱装置によれば、利用者は、第２報知手段の報知により加熱装置が劣化していることを確認することができるため、その旨を確認した後で、例えば、加熱装置を補修するといった対応を迅速にとることができる。
【００３９】
なお、上述の「発光パターン」とは、例えば、ヒータが発光している期間、発光している期間と発光していない期間により規定されるパターン、ヒータが発する光量の変化により規定されるパターンなどである。
【００４０】
例えば、発光パターンとしてヒータが発光している期間を採用した場合には、加熱装置が劣化すると、ヒータへの電源供給が行われても充分な発熱が行われなくなるため、ヒータの発光期間は、加熱装置が劣化していない場合における正常な発光期間よりも長くなる。
【００４１】
そのため、請求項１４に記載のように、劣化判定手段が、発光検出手段によって検出されたヒータが発する光の発光期間が、加熱装置が劣化していない場合における発光期間よりも長い場合に、加熱装置が劣化していると判定する、ように構成するとよい。
【００４２】
このように構成すれば、ヒータの発光期間に基づいて加熱装置が劣化しているか否かを判定することができる。
また、請求項１５に記載の画像形成装置は、回動可能に保持された像担持体と、像担持体を帯電する帯電手段と、帯電手段により帯電された像担持体に静電潜像を形成する潜像形成手段と、潜像形成手段により形成された静電潜像に現像剤を付着させて現像する現像手段と、現像手段により現像された現像剤像を印刷媒体に転写する転写手段と、転写手段により印刷媒体に転写された現像剤像を加熱して定着させる定着手段と、を備えており、定着手段が、請求項１から１４のいずれかに記載の加熱装置からなる。
【００４３】
このように構成された画像形成装置によれば、定着手段が請求項１から１４のいずれかに記載の加熱装置を有しているため、この加熱装置と同様の作用・効果を得ることができる。
【発明を実施するための最良の形態】
【００４４】
次に本発明の実施の形態について例を挙げて説明する。
図１は、画像形成装置としてのレーザプリンタの１実施形態を示す要部側断面図である。図１において、レーザプリンタ１は、本体ケーシング２内に、用紙３を給紙するためのフィーダ部４や、給紙された用紙３に所定の画像を形成するための画像形成部５などを備えている。
【００４５】
フィーダ部４は、本体ケーシング２内の底部に、着脱可能に装着される給紙トレイ６と、給紙トレイ６内に設けられた用紙押圧板７と、給紙トレイ６の一端側端部の上方に設けられる給紙ローラ８および分離パッド９と、給紙ローラ８に対し用紙３の搬送方向の下流側に設けられる紙粉取りローラ１０および１１と、紙粉取りローラ１０および１１に対し用紙３の搬送方向の下流側に設けられるレジストローラ１２とを備えている。
【００４６】
用紙押圧板７は、用紙３を積層状にスタック可能とされ、給紙ローラ８に対して遠い方の端部において揺動可能に支持されることによって、近い方の端部が上下方向に移動可能とされており、また、その裏側から図示しないばねによって上方向に付勢されている。そのため、用紙押圧板７は、用紙３の積層量が増えるに従って、給紙ローラ８に対して遠い方の端部を支点として、ばねの付勢力に抗して下向きに揺動される。給紙ローラ８および分離パッド９は、互いに対向状に配設され、分離パッド９の裏側に配設されるばね１３によって、分離パッド９が給紙ローラ８に向かって押圧されている。用紙押圧板７上の最上位にある用紙３は、用紙押圧板７の裏側から図示しないばねによって給紙ローラ８に向かって押圧され、その給紙ローラ８の回転によって給紙ローラ８と分離パッド９とで挟まれた後、１枚毎に給紙される。給紙された用紙３は、紙粉取りローラ１０および１１によって、紙粉が取り除かれた後、レジストローラ１２に送られる。レジストローラ１２は、１対のローラから構成されており、用紙３を所定のレジスト後に、画像形成部５に送るようにしている。
【００４７】
なお、このフィーダ部４は、さらに、マルチパーパストレイ１４と、マルチパーパストレイ１４上に積層される用紙３を給紙するためのマルチパーパス側給紙ローラ１５およびマルチパーパス側分離パッド２５とを備えており、マルチパーパス側給紙ローラ１５およびマルチパーパス側分離パッド２５は、互いに対向状に配設され、マルチパーパス側分離パッド２５の裏側に配設されるばね２５ａによって、マルチパーパス側分離パッド２５がマルチパーパス側給紙ローラ１５に向かって押圧されている。マルチパーパストレイ１４上に積層される用紙３は、マルチパーパス側給紙ローラ１５の回転によってマルチパーパス側給紙ローラ１５とマルチパーパス側分離パッド２５とで挟まれた後、１枚毎に給紙される。
【００４８】
画像形成部５は、スキャナユニット１６、プロセスユニット１７、定着部１８などを備えている。
スキャナユニット１６は、本体ケーシング２内の上部に設けられ、レーザ発光部（図示省略）、回転駆動されるポリゴンミラー１９、レンズ２０および２１、反射鏡２２、２３および２４などを備えており、レーザ発光部から発光される所定の画像データに基づくレーザビームを、鎖線で示すように、ポリゴンミラー１９、レンズ２０、反射鏡２２および２３、レンズ２１、反射鏡２４の順に通過あるいは反射させて、後述するプロセスユニット１７の感光体としての感光ドラム２７の表面上に高速走査にて照射させている。
【００４９】
プロセスユニット１７は、スキャナユニット１６の下方に配設され、本体ケーシング２に対して着脱自在に装着されるドラムカートリッジ２６内に、感光ドラム２７、現像カートリッジ２８、スコロトロン型帯電器２９、転写ローラ３０、クリーニングローラ５１を備えている。
【００５０】
現像カートリッジ２８は、ドラムカートリッジ２６に対して着脱自在に装着されており、現像ローラ３１、層厚規制ブレード３２、供給ローラ３３およびトナーボックス３４などを備えている。
【００５１】
トナーボックス３４内には、トナー（現像剤）が充填されている。そして、トナーボックス３４内のトナーは、トナーボックス３４の中心に設けられる回転軸３５に支持されるアジテータ３６の矢印方向（時計方向）への回転により、攪拌されて、トナーボックス３４の側部に開口されたトナー供給口３７から放出される。なお、トナーボックス３４の側壁には、トナーの残量検知用の窓３８が設けられており、回転軸３５に支持されたクリーナ３９によって清掃される。
【００５２】
トナー供給口３７の側方位置には、供給ローラ３３が矢印方向（反時計方向）に回転可能に配設されており、また、この供給ローラ３３に対向して、現像ローラ３１が矢印方向（反時計方向）に回転可能に配設されている。そして、これら供給ローラ３３と現像ローラ３１とは、そのそれぞれがある程度圧縮するような状態で互いに当接されている。
【００５３】
供給ローラ３３は、金属製のローラ軸に、導電性の発泡材料からなるローラが被覆されている。また、現像ローラ３１は、金属製のローラ軸に、磁気特性を持たない導電性のゴム材料からなるローラが被覆されている。より具体的には、現像ローラ３１のローラ部分は、カーボン微粒子などを含む導電性のウレタンゴムまたはシリコーンゴムからなるローラ本体の表面に、フッ素が含有されているウレタンゴムまたはシリコーンゴムのコート層が被覆されている。なお、現像ローラ３１には、現像バイアスが印加される。
【００５４】
また、現像ローラ３１の近傍には、層厚規制ブレード３２が配設されている。この層厚規制ブレード３２は、金属の板ばね材からなるブレード本体の先端部に、絶縁性のシリコーンゴムからなる断面半円形状の押圧部を備えており、現像ローラ３１の近くにおいて現像カートリッジ２８に支持されて、押圧部がブレード本体の弾性力によって現像ローラ３１上に圧接されるように構成されている。
【００５５】
そして、トナー供給口３７から放出されるトナーは、供給ローラ３３の回転により、現像ローラ３１に供給され、この時、供給ローラ３３と現像ローラ３１との間で正に摩擦帯電され、さらに、現像ローラ３１上に供給されたトナーは、現像ローラ３１の回転に伴って、層厚規制ブレード３２の押圧部と現像ローラ３１との間に進入し、ここでさらに十分に摩擦帯電されて、一定厚さの薄層として現像ローラ３１上に担持される。
【００５６】
感光ドラム２７は、現像ローラ３１の側方位置において、その現像ローラ３１と対向するような状態で矢印方向（時計方向）に回転可能に配設されている。この感光ドラム２７は、ドラム本体が接地されるとともに、その表面部分が、ポリカーボネートなどから構成される正帯電性の感光層により形成されている。なお、この感光ドラム２７は、図示しないメインモータからの動力によって回転駆動されるように構成されている。
【００５７】
スコロトロン型帯電器２９は、感光ドラム２７の上方に、感光ドラム２７に接触しないように、所定の間隔を隔てて配設されている。このスコロトロン型帯電器２９は、タングステンなどの帯電用ワイヤからコロナ放電を発生させる正帯電用のスコロトロン型の帯電器であり、感光ドラム２７の表面を一様に正極性に帯電させるように構成されている。
【００５８】
そして、感光ドラム２７の表面は、その感光ドラム２７の回転に伴って、まず、スコロトロン型帯電器２９により一様に正帯電された後、スキャナユニット１６からのレーザビームの高速走査により露光され、所定の画像データに基づく静電潜像が形成される。
【００５９】
次いで、現像ローラ３１の回転により、現像ローラ３１上に担持されかつ正帯電されているトナーが、感光ドラム２７に対向して接触する時に、感光ドラム２７の表面上に形成される静電潜像、すなわち、一様に正帯電されている感光ドラム２７の表面のうち、レーザビームによって露光され電位が下がっている露光部分に供給され、選択的に担持されることによって可視像化され、これによって反転現像が達成される（現像剤像が形成される）。
【００６０】
転写ローラ３０は、感光ドラム２７の下方において、この感光ドラム２７に対向するように配置され、ドラムカートリッジ２６に矢印方向（反時計方向）に回転可能に支持されている。この転写ローラ３０は、金属製のローラ軸に、イオン導電性のゴム材料からなるローラが被覆されており、転写時には、転写バイアス（転写順バイアス）が印加されるように構成されている。そのため、感光ドラム２７の表面上に担持された現像剤像は、用紙３が感光ドラム２７と転写ローラ３０との間を通る間に用紙３に転写される。
【００６１】
定着部１８は、プロセスユニット１７の側方下流側に配設され、加熱ローラ４１、加熱ローラ４１を押圧する押圧ローラ４２、および、これら加熱ローラ４１および押圧ローラ４２の下流側に設けられる１対の搬送ローラ４３を備えている。加熱ローラ４１は、金属製で加熱のためのハロゲンランプ４１ａを備えており、プロセスユニット１７において用紙３上に転写されたトナーを、用紙３が加熱ローラ４１と押圧ローラ４２との間を通過する間に熱定着させ、その後、その用紙３を搬送ローラ４３によって、排紙パス４４に搬送するようにしている。排紙パス４４に送られた用紙３は、排紙ローラ４５に送られて、その排紙ローラ４５によって排紙トレイ４６上に排紙される。
【００６２】
なお、このレーザプリンタ１には、用紙３の両面に画像を形成するために、反転搬送部４７が設けられている。この反転搬送部４７は、排紙ローラ４５と、反転搬送パス４８と、フラッパ４９と、複数の反転搬送ローラ５０とを備えている。
【００６３】
排紙ローラ４５は、１対のローラからなり、正回転および逆回転の切り換えができるように構成されている。この排紙ローラ４５は、上記したように、排紙トレイ４６上に用紙３を排紙する場合には、正方向に回転するが、用紙３を反転させる場合には、逆方向に回転する。
【００６４】
反転搬送パス４８は、排紙ローラ４５から画像形成部５の下方に配設される複数の反転搬送ローラ５０まで用紙３を搬送することができるように、上下方向に沿って設けられており、その上流側端部が、排紙ローラ４５の近くに配置されるとともに、その下流側端部が、反転搬送ローラ５０の近くに配置されている。
【００６５】
フラッパ４９は、排紙パス４４と反転搬送パス４８との分岐部分に臨むように、揺動可能に設けられており、図示しないソレノイドの励磁または非励磁により、排紙ローラ４５によって反転された用紙３の搬送方向を、排紙パス４４に向かう方向から、反転搬送パス４８に向かう方向に切り換えることができるように構成されている。
【００６６】
反転搬送ローラ５０は、給紙トレイ６の上方において、略水平方向に複数設けられており、最も上流側の反転搬送ローラ５０が、反転搬送パス４８の後端部の近くに配置されるとともに、最も下流側の反転搬送ローラ５０が、レジストローラ１２の下方に配置されるように設けられている。
【００６７】
そして、用紙３の両面に画像を形成する場合には、この反転搬送部４７が、次のように動作される。すなわち、一方の面に画像が形成された用紙３が搬送ローラ４３によって排紙パス４４から排紙ローラ４５に送られてくると、排紙ローラ４５は、用紙３を挟んだ状態で正回転して、この用紙３を一旦外側（排紙トレイ４６側）に向けて搬送し、用紙３の大部分が外側に送られ、用紙３の後端が排紙ローラ４５に挟まれた時に、正回転を停止する。次いで、排紙ローラ４５は、逆回転するとともに、フラッパ４９が、用紙３が反転搬送パス４８に搬送されるように、搬送方向を切り換えて、用紙３を前後逆向きの状態で反転搬送パス４８に搬送するようにする。なお、フラッパ４９は、用紙３の搬送が終了すると、元の状態、すなわち、搬送ローラ４３から送られる用紙３を排紙ローラ４５に送る状態に切り換えられる。次いで、反転搬送パス４８に逆向きに搬送された用紙３は、反転搬送ローラ５０に搬送され、この反転搬送ローラ５０から、上方向に反転されて、レジストローラ１２に送られる。レジストローラ１２に搬送された用紙３は、裏返しの状態で、再び、所定のレジスト後に、画像形成部５に向けて送られ、これによって、用紙３の両面に所定の画像が形成される。
【００６８】
また、このレーザプリンタ１では、図２に示す如く、定着部１８に定着部駆動回路６０が接続されている。この定着部駆動回路６０は、レーザプリンタ１全体の動作を制御する制御部７０により制御されるものであって、押圧ローラ４２および搬送ローラ４３をモータ４２ａおよび４３ａにより回転させるためのローラ駆動回路６１の他、加熱ローラ４１の備えるハロゲンヒータ４１ａへの電源供給を行う電源回路６２、電源回路６２からハロゲンヒータ４１ａに至る経路に配設された遮断回路６３、加熱ローラ４１の温度を検出する温度センサ６４、ハロゲンヒータ４１ａの発熱に伴って発せられる光を受光する光センサ６５、電源回路６２による電源供給を制御する制御回路６６などを備えている。
【００６９】
これらのうち、電源回路６２は、制御回路６６からの指令を受けた際に、駆動電圧をハロゲンヒータ４１ａへ供給し、これにより、ハロゲンヒータ４１ａが発熱および発光する。
【００７０】
また、遮断回路６３は、制御回路６６からの指令を受けて、電源回路６２からハロゲンヒータ４１ａに至る経路を接続または開放するスイッチング素子である。
また、温度センサ６４は、加熱ローラ４１の温度に応じて検出信号の信号レベルが変化するサーミスタであって、加熱ローラ４１の表面に接触した状態で配設されている。
【００７１】
また、光センサ６５は、受光する光量（または、光のレベル、光強度）に応じて検出信号の信号レベルが変化する受光素子であって、ハロゲンヒータ４１ａが発する光を受光できる位置に配設されている。
【００７２】
また、制御回路６６は、後述するウォームアップ処理（図３）およびスタンバイ処理（印字処理；図４）において、温度センサ６４および光センサ６５からの検出信号に基づいて電源回路６２への電源供給を制御する。
【００７３】
以下に、制御回路６６により実行されるウォームアップ処理の処理手順を図３に基づいて説明する。このウォームアップ処理は、制御部７０からウォームアップ処理の開始を指令するための指令信号を入力した際に開始される。なお、この指令信号は、レーザプリンタ１が起動した際に制御部７０から出力されてくる信号である。
【００７４】
まず、ハロゲンヒータ４１ａへの電源供給を開始する（ｓ１１０）。この処理では、電源回路６２により駆動信号の供給を開始させると共に、遮断回路６３により経路を接続させる。これにより、ハロゲンヒータ４１ａおよび電源回路６２が正常に作動していれば、ハロゲンヒータ４１ａが発光および発熱し始める。
【００７５】
次に、ハロゲンヒータ４１ａおよび電源回路６２が正常に作動しているかどうかをチェックする（ｓ１２０）。この処理においては、光センサ６５から検出信号の入力が開始された場合に、ハロゲンヒータ４１ａおよび電源回路６２が正常に作動していると判定する。
【００７６】
このｓ１２０の処理で、ハロゲンヒータ４１ａおよび電源回路６２が正常に作動していなければ（ｓ１２０：ＮＯ）、ハロゲンヒータ４１ａへの電源供給を終了させる（ｓ１３０）。この処理では、遮断回路６３により経路を開放させると共に、電源回路６２により駆動信号の供給を停止させることにより、ハロゲンヒータ４１ａへの電源供給を終了させる。
【００７７】
次に、ハロゲンヒータ４１ａや電源回路６２などに何らかの異常が発生している旨を通知して（ｓ１４０）、本ウォームアップ処理を終了する。このｓ１４０の処理では、何らかの異常が発生している旨を通知するための異常通知信号を制御部７０へ出力し、この異常通知信号を入力した制御部７０が、ハロゲンヒータ４１ａや電源回路６２などに何らかの異常が発生したために本ウォームアップ処理をエラー終了した旨のメッセージを表示パネル７２により表示させる。
【００７８】
また、ｓ１２０の処理で、ハロゲンヒータ４１ａおよび電源回路６２が正常に作動していれば（ｓ１２０：ＹＥＳ）、ハロゲンヒータ４１ａの光量が所定の範囲内の値であるかどうかをチェックする（ｓ１５０）。本実施形態においては、レーザプリンタ１の定着部１８に使用するのに適した定格電圧、定格電力などが定められた正しい種類のハロゲンヒータを適切に取り付け、このハロゲンヒータが正常に作動している場合の光量としてあらかじめ定められた光量の範囲内の値が設定されている。そのため、このｓ１５０の処理では、光センサ６５により検出されたハロゲンヒータ４１ａの光量が、あらかじめ定められた範囲内の値であるかどうかをチェックする。ここで、ハロゲンヒータ４１ａの光量が、この範囲内の値であれば、定着部１８に正しい種類のハロゲンヒータ４１ａが適切に取り付けられていることになる。
【００７９】
このｓ１５０の処理で、ハロゲンヒータ４１ａの光量が所定の範囲内の値でなければ（ｓ１５０：ＮＯ）、ハロゲンヒータ４１ａへの電源供給を終了させる（ｓ１６０）。この処理は、ｓ１３０の処理と同様の処理である。
【００８０】
次に、加熱ローラ４１に正しい種類のハロゲンヒータ４１ａが適切に取り付けられていない旨を通知して（ｓ１７０）、本ウォームアップ処理を終了する。このｓ１７０の処理では、適切に取り付けられていない旨を通知するための不適切通知信号を制御部７０へ出力し、この不適切通知信号を入力した制御部７０が、正しい種類のハロゲンヒータ４１ａが適切に取り付けられていないために本ウォームアップ処理をエラー終了した旨のメッセージを表示パネル７２により表示させる。
【００８１】
また、ｓ１５０の処理で、ハロゲンヒータ４１ａの光量が所定の範囲内の値であれば（ｓ１５０：ＹＥＳ）、ハロゲンヒータ４１ａが作動している時間のカウントを開始する（ｓ１８０）。この処理では、タイマーをスタートさせることによって、ｓ１２０の処理で光センサ６５から検出信号の入力が開始された以降の時間をカウントし始める。
【００８２】
次に、加熱ローラ４１の温度が目標温度に到達しているかどうかをチェックする（ｓ１９０）。この処理においては、温度センサ６４から入力される検出信号の信号レベルに対応する温度が、目標温度（本実施形態においては、１６０度）以上となっていれば、加熱ローラ４１の温度が目標温度に到達していると判定する。
【００８３】
このｓ１９０の処理で、加熱ローラ４１の温度が目標温度に到達していれば（ｓ１９０：ＹＥＳ）、ハロゲンヒータ４１ａへの電源供給を終了させる（ｓ２００）。この処理は、ｓ１３０，ｓ１６０の処理と同様の処理である。
【００８４】
次に、ｓ１８０の処理で開始されたハロゲンヒータ４１ａの作動時間のカウントを終了する（ｓ２１０）。この処理では、ｓ１８０の処理でスタートしたタイマーをストップさせることより、作動時間のカウントを終了する。
【００８５】
次に、ハロゲンヒータ４１ａの作動時間に基づいて、定着部１８が劣化しているかどうかをチェックする（ｓ２２０）。この処理では、ｓ２１０の処理でストップさせたタイマーのカウント値、つまり、加熱ローラ４１が目標温度に到達するまでに要したハロゲンヒータ４１ａの作動時間Ｔｏが、劣化していない定着部１８が加熱ローラ４１を目標温度に到達させるまでに要する作動時間として定められた時間範囲Ｔｗ１１〜Ｔｗ１２内（Ｔｗ１１≦Ｔｏ≦Ｔｗ１２）であれば、定着部１８が劣化していないと判定する。なお、ここでいう「劣化している」とは、ハロゲンヒータ４１ａに軽度な劣化が発生し、ハロゲンヒータ４１ａの性能が定着部１８の機能を維持できる範囲内で低下した状態、または、温度センサ６４自体の軽度な劣化や加熱ローラ４１から僅かに隔離して加熱ローラ４１の温度を正確に検出できなくなった（温度を低く検出してしまう）状態である。
【００８６】
このｓ２２０の処理で、定着部１８が劣化している場合（ｓ２２０：ＹＥＳ）、その旨を通知する（ｓ２３０）。この処理では、定着部１８が劣化している旨を通知するための劣化通知信号を制御部７０へ出力し、この劣化通知信号を入力した制御部７０が、定着部１８が劣化しているためにハロゲンヒータ４１ａまたは温度センサ６４に対するメンテナンスが必要である旨のメッセージを表示パネル７２により表示させる。
【００８７】
こうして、ｓ２３０の処理を終えた後、または、ｓ２２０の処理で定着部１８が劣化していない場合（ｓ２２０：ＮＯ）、本ウォームアップ処理を終了する。
また、上述したｓ１９０の処理で、加熱ローラ４１の温度が目標温度に到達していなければ（ｓ１９０：ＮＯ）、ハロゲンヒータ４１ａの作動時間に基づいて、定着部１８が故障しているかどうかをチェックする（ｓ２４０）。この処理では、ｓ１８０の処理でスタートさせたタイマーのカウント値、つまり、ハロゲンヒータ４１ａの作動時間Ｔｏが、故障していない定着部１８が加熱ローラ４１を目標温度に到達させるまでに要する作動時間として定められた時間範囲Ｔｗ２１〜Ｔｗ２２内（Ｔｗ２１≦Ｔｏ≦Ｔｗ２２）であれば、故障していないと判定する。なお、ここでいう「故障している」とは、ハロゲンヒータ４１ａに重度な劣化が発生して、ハロゲンヒータ４１ａの性能が定着部１８の機能を維持できない程度まで低下した状態、または、温度センサ６４が故障したり加熱ローラ４１から大きく隔離して加熱ローラ４１の温度を殆ど検出できなくなった（温度が大幅に低く検出される）状態である。
【００８８】
このｓ２４０の処理で、定着部１８が故障していなければ（ｓ２４０：ＯＮ）、ｓ１９０の処理へ戻る。
こうして、ｓ１９０，ｓ２４０の処理が繰り返される間に、定着部１８が故障していなければ、ハロゲンヒータ４１ａへの電源供給が継続され、加熱ローラ４１の温度が目標温度まで上昇した後、上述したｓ２００以降の処理へ移行することになる。
【００８９】
一方、ｓ２４０の処理で、定着部１８が故障していれば（ｓ２４０：ＹＥＳ）、ハロゲンヒータ４１ａへの電源供給を終了させる（ｓ２５０）。この処理は、ｓ１３０，ｓ１６０，ｓ２００の処理と同様の処理である。
【００９０】
次に、ｓ１８０の処理で開始されたハロゲンヒータ４１ａの作動時間のカウントを終了する（ｓ２６０）。この処理は、ｓ２１０の処理と同様の処理である。
そして、定着部１８が故障している旨を通知した後（ｓ２７０）、本ウォームアップ処理を終了する。このｓ２７０の処理では、定着部１８が故障している旨を通知するための故障通知信号を制御部７０へ出力し、この故障通知信号を入力した制御部７０が、ハロゲンヒータ４１ａまたは温度センサ６４が故障したために本ウォームアップ処理をエラー終了した旨のメッセージを表示パネル７２により表示させる。
【００９１】
なお、本ウォームアップ処理を終了する際には、タイマーのカウント値はリセットされる。
また、このウォームアップ処理が終了した以降に繰り返し行われるスタンバイ処理の処理手順を図４に基づいて説明する。このスタンバイ処理は、目標温度まで上昇した加熱ローラ４１の温度を所定の制御温度にて維持させる処理である。なお、印字時においては、制御部７０から印字指令信号が出力され、この印字指令信号を入力することにより本スタンバイ処理を中断し、本スタンバイ処理と同じ処理手順で制御温度のみ異なる印字処理が行われるように構成されており、この印字処理についても同様の処理手順であるため、同時に説明する。
【００９２】
まず、加熱ローラ４１の温度が制御温度より高いかどうかをチェックする（ｓ３１０）。この処理においては、温度センサ６４から入力される検出信号の信号レベルに対応する温度が、制御温度（スタンバイ処理では１６０度、印字処理では１８０度）より高ければ、加熱ローラ４１の温度が制御温度より高いと判定する。
【００９３】
このｓ３１０の処理で、加熱ローラ４１の温度が制御温度よりも低ければ（ｓ３１０：ＮＯ）、ハロゲンヒータ４１ａへの電源供給を開始する（ｓ３２０）。この処理は、図３におけるｓ１１０の処理と同様の処理であるが、既に電源供給が開始されている場合には何も行われない。
【００９４】
次に、ハロゲンヒータ４１ａが作動している時間のカウントを開始する（ｓ３３０）。この処理では、作動時間カウント用の第１タイマーをスタートさせることによって、ｓ３２０の処理で光センサ６５から検出信号の入力が開始された以降の時間をカウントし始める。なお、このｓ３３０の処理では、既に第１タイマーがスタートしている場合は何も行われない。
【００９５】
このｓ３３０の処理を終えた後、ｓ３１０の処理へ戻る。
この後、ｓ３１０からｓ３３０の処理を加熱ローラ４１の温度が制御温度より高くなるまで繰り返した後、ｓ３１０の処理で加熱ローラ４１の温度が制御温度よりも高くなったら（ｓ３１０：ＹＥＳ）、ハロゲンヒータ４１ａが作動している時間のカウントを終了する（ｓ３４０）。この処理では、ｓ３３０の処理でスタートした第１タイマーをストップさせることより、作動時間のカウントを終了する。ここで、第１タイマーによるカウント値は、加熱ローラ４１の温度が制御温度より高くなるのに要した時間を示している。
【００９６】
次に、加熱ローラ４１の温度が制御温度より低いかどうかをチェックする（ｓ３５０）。この処理においては、温度センサ６４から入力される検出信号の信号レベルに対応する温度が、制御温度より低ければ、加熱ローラ４１の温度が制御温度より低いと判定する。
【００９７】
このｓ３５０の処理で、加熱ローラ４１の温度が制御温度よりも高ければ（ｓ３５０：ＮＯ）、ハロゲンヒータ４１ａへの電源供給を終了する（ｓ３６０）。この処理は、図３におけるｓ１３０他の処理と同様の処理であるが、既に電源供給が開始されている場合には何も行われない。
【００９８】
次に、ハロゲンヒータ４１ａが作動していない（停止している）時間のカウントを開始する（ｓ３７０）。この処理では、停止時間カウント用の第２タイマーをスタートさせることによって、ｓ３５０の処理で光センサ６５からの検出信号の入力が終了した以降の時間をカウントし始める。なお、このｓ３３０の処理では、既に第２タイマーがスタートしている場合は何も行われない。
【００９９】
このｓ３７０の処理を終えた後、ｓ３５０の処理へ戻る。
この後、ｓ３５０からｓ３７０の処理を加熱ローラ４１の温度が制御温度よりも低くなるまで繰り返した後、ｓ３５０の処理で、加熱ローラ４１の温度が制御温度よりも低くなったら（ｓ３５０：ＹＥＳ）、ハロゲンヒータ４１ａが作動していない時間のカウントを終了する（ｓ３８０）。この処理では、ｓ３７０の処理でスタートした第２タイマーをストップさせることより、停止時間のカウントを終了する。ここで、第２タイマーによるカウント値は、加熱ローラ４１の温度が制御温度より低くなるのに要した時間を示している。
【０１００】
次に、ハロゲンヒータ４１ａの作動時間および停止時間に基づいて定着部１８が正常に作動しているかどうかをチェックする（ｓ３９０）。この処理では、ｓ３４０の処理でストップさせた第１タイマーのカウント値、つまり、加熱ローラ４１の温度が制御温度より高くなるのに要した時間と、ｓ３８０の処理でストップさせた第２タイマーのカウント値、つまり、加熱ローラ４１の温度が制御温度より低くなるのに要した時間とで規定されるハロゲンヒータ４１ａの発光パターン（動作パターン）に基づいて、定着部１８が正常に作動しているかどうかをチェックする。
【０１０１】
具体的には、下記に示す二つの条件両方を満たす場合に、定着部１８が正常に作動していると判定する。まず、第１タイマーのカウント値Ｔ１が、正常な定着部１８が加熱ローラ４１を制御温度より高くするのに要する作動時間として定められた時間範囲Ｔｓ１１〜Ｔｓ１２内（Ｔｓ１１≦Ｔ１≦Ｔｓ１２）であること。そして、第１タイマーのカウント値Ｔ１と第２タイマーのカウント値Ｔ２とを加算した値に対する第１タイマーのカウント値Ｔ１の割合Ｄｏ（＝Ｔ１／（Ｔ１＋Ｔ２））が、正常な定着部１８を使用して上述したｓ３９０までの処理を実行した場合の割合として定められた割合Ｄｓ１１〜Ｄｓ１２内（Ｄｓ１１≦Ｄｏ≦Ｄｓ１２）であること、である。
【０１０２】
このｓ３９０の処理で、定着部１８が正常に作動していれば（ｓ３９０：ＹＥＳ）、ｓ３１０の処理へ戻る。なお、ｓ３９０の処理へ戻る際には、第１，第２タイマーのカウント値はリセットされる。
【０１０３】
こうして、定着部１８が正常に作動している場合において、光センサ６５による検出信号の時間経過に伴う出力レベルの変化を図５（ａ）に示す。
一方、ｓ３９０の処理で、定着部１８が正常に作動してなければ（ｓ３９０：ＮＯ）、ハロゲンヒータ４１ａの作動時間および停止時間に基づいて定着部１８が劣化しているかどうかをチェックする（ｓ４００）。この処理では、ｓ３９０の処理と同様に、第１タイマーのカウント値と、第２タイマーのカウント値とで規定されるハロゲンヒータ４１ａの発光パターンに基づいて、定着部１８（ハロゲンヒータ４１ａまたは温度センサ６４）が劣化または故障しているかどうかをチェックする。
【０１０４】
具体的には、下記に示す二つの条件両方を満たす場合には、定着部１８が劣化していると判定し、いずれかの条件を満たしていない場合には、定着部１８が故障していると判定する。まず、第１タイマーのカウント値Ｔ１が、定着部１８としての機能を維持できる範囲内で性能が低下している状態で加熱ローラ４１を制御温度より高くするまでに要する作動時間として定められた時間範囲Ｔｓ２１〜Ｔｓ２２内（Ｔｓ２１≦Ｔ１≦Ｔｓ２２）であること。なお、この「Ｔｓ２１〜Ｔｓ２２」とは、ｓ３９０の処理における条件として定められた「Ｔｓ１１〜Ｔｓ１２」よりも広い範囲となる。そして、上述した割合Ｄｏ（＝Ｔ１／（Ｔ１＋Ｔ２））が、定着部１８としての機能を維持できる範囲内で性能が低下した状態で上述のｓ３９０までの処理を実行した場合の割合として定められた割合Ｄｓ２１〜Ｄｓ２２内（Ｄｓ２１≦Ｄｏ≦Ｄｓ２２）であること、である。なお、この「Ｄｓ２１〜Ｄｓ２２」とは、ｓ３９０の処理における条件として定められた「Ｄｓ１１〜Ｄｓ１２」よりも広い範囲となる。
【０１０５】
このｓ４００の処理で、定着部１８が劣化している場合（ｓ４００：ＹＥＳ）、その旨を通知する（ｓ４１０）。この処理は、図３におけるｓ２３０の処理と同様の処理である。
【０１０６】
このｓ４１０の処理を終えた後、ｓ３１０の処理へ戻る。なお、ｓ３９０の処理へ戻る際には、第１，第２タイマーのカウント値はリセットされる。
こうして、定着部１８が劣化している場合において、光センサ６５による検出信号の時間経過に伴う出力レベルの変化を図５（ｂ），（ｃ）に示す。図５（ｂ）は、第１タイマーのカウント値Ｔ１がＴｓ１２より大きくなっている場合であり、図５（ｃ）は、第１タイマーのカウント値Ｔ１がＴｓ１１〜Ｔｓ１２内で上述した割合ＤｏがＤｓ１２より大きくなっている場合である。
【０１０７】
また、上述したｓ４００の処理で、定着部１８が故障している場合（ｓ４００：ＮＯ）、ハロゲンヒータ４１ａへの電源供給を終了する（ｓ４２０）。この処理は、ｓ３６０他の処理と同様の処理である。
【０１０８】
そして、定着部１８が故障している旨を通知した後（ｓ４３０）、本スタンバイ処理（印字処理）を終了する。このｓ４３０の処理は、図３におけるｓ２７０の処理と同様の処理である。なお、本スタンバイ処理（印字処理）を終了する際には、第１，第２タイマーのカウント値はリセットされる。
【０１０９】
こうして、定着部１８が故障している場合において、光センサ６５による検出信号の時間経過に伴う出力レベルの変化を図５（ｄ），（ｅ）に示す。図５（ｄ）は、第１タイマーのカウント値Ｔ１がＴｓ２２より大きくなっている場合であり、図５（ｅ）は、第１タイマーのカウント値Ｔ１がＴｓ２１〜Ｔｓ２２内で上述した割合ＤｏがＤｓ２２より大きくなっている場合である。
【０１１０】
［効果］
このように構成されたレーザプリンタ１において、定着部１８は、図３におけるｓ１５０の処理で、光センサ６５により検出されるハロゲンヒータ４１ａの発光状態（光量）に基づき、正しい種類のハロゲンヒータ４１ａが適切に取り付けられているか否かを判定することができる。
【０１１１】
ここでは、光センサ６５により検出される発光状態が、正しい種類のハロゲンヒータ４１ａが適切に取り付けられているときの発光状態となっているか否かをチェックし、正しい種類のハロゲンヒータ４１ａが適切に取り付けられているときの発光状態となっていれば、適切に取り付けられていると判定する一方、ハロゲンヒータ４１ａが適切に取り付けられていないときの発光状態と異なっていれば、適切に取り付けられていないと判定することができる。
【０１１２】
また、図３におけるｓ１５０の処理で、正しい種類のハロゲンヒータ４１ａが適切に取り付けられていないと判定された場合には、ｓ１６０の処理においてハロゲンヒータ４１ａへの電源供給が終了されるため、適切に取り付けられていないハロゲンヒータ４１ａにより定着部１８が正常に動作しない状態が継続することはない。そのため、例えば、不必要に加熱ローラ４１の温度が上昇して定着部１８およびレーザプリンタ１側に不必要な温度上昇に起因する何らかの悪影響を与えてしまうことを防止できる。
【０１１３】
また、図３におけるｓ１７０の処理が行われた際、ハロゲンヒータ４１ａが適切に取り付けられていない旨が表示パネル７２に表示される。よって、例えば、ヒータの取付作業を行った作業者は、表示パネル７２の表示によりハロゲンヒータ４１ａが適切に取り付けられていないことを確認することができ、その旨を確認した後で、ハロゲンヒータ４１ａを適切に取り付け直すといった対応を迅速にとることができる。また、レーザプリンタ１を利用する利用者は、表示パネル７２の表示によりハロゲンヒータ４１ａが適切に取り付けられていないことを確認することができ、その旨を確認した後で、ハロゲンヒータ４１ａを適切に取り付け直したり、サービスマンに修理を依頼するなどといった対応を迅速にとることができる。
【０１１４】
また、図３におけるｓ２２０，ｓ２４０の処理では、光センサ６５により検出されたハロゲンヒータ４１ａの発光期間に基づき、定着部１８（ハロゲンヒータ４１ａまたは温度センサ６４）が劣化しているかどうか、および、故障しているかどうかを判定することができる。また、図４におけるｓ４００の処理では、光センサ６５により検出されたハロゲンヒータ４１ａの発光パターンに基づいて、定着部１８（ハロゲンヒータ４１ａまたは温度センサ６４）が劣化しているか、または、故障しているかを判定することができる。
【０１１５】
このように、図３におけるｓ２２０の処理、図４におけるｓ４００の処理では、定着部１８が劣化した状態、つまり、故障に至る前の状態になったことを判定できる。例えば、故障の発生時でなければ故障が発生したと判定できない場合、その故障の程度によっては、定着部１８だけでなく、レーザプリンタ１側にも定着部１８の故障に起因する何らかの悪影響を与えてしまう恐れがある。そのため、定着部１８が劣化した状態になったことを判定できることは、定着部１８およびレーザプリンタ１側に定着部１８の故障による悪影響を与えることを防止するためには好適である。
【０１１６】
また、図３におけるｓ２４０の処理で、定着部１８に重度の劣化が発生して故障していると判定された場合には、ｓ２５０の処理でハロゲンヒータ４１ａへの電源供給が終了される。定着部１８が故障したままハロゲンヒータ４１ａが作動し続けてしまうことは、定着部１８だけでなく、レーザプリンタ１側にも定着部１８の故障に起因する悪影響を与えてしまう恐れがあるため、ハロゲンヒータ４１ａが作動し続けてしまうことは望ましくない。そのため、定着部１８が故障していると判定された場合にハロゲンヒータ４１ａへの電源供給を終了させることは、レーザプリンタ１側に定着部１８の故障に起因する何らかの悪影響を与えてしまうことを防止するためには好適である。
【０１１７】
また、図３におけるｓ２４０，図４におけるｓ４００の処理で、定着部１８に重度の劣化が発生して故障していると判定された場合には、ｓ２７０，ｓ４１０の処理で定着部１８が故障している旨が表示パネル７２に表示されるため、利用者は、この表示内容により定着部１８が故障していることを確認することができる。よって、利用者は、例えば、定着部１８において故障していると想定される構成要素を補修または交換するといった何らかの対応を迅速にとることができる。
【０１１８】
また、図３のウォームアップ処理および図４のスタンバイ処理において、定着部１８の劣化または故障を、光センサ６５により検出されたハロゲンヒータ４１ａの発光状態に基づいて判定することができる。定着部１８の劣化または故障は、例えば、温度センサ６４により検出されるハロゲンヒータ４１ａの発熱状態（温度や温度変化）に基づいて判定することも考えられるが、ハロゲンヒータ４１ａの発熱状態を検出するための温度センサ６４は、ハロゲンヒータ４１ａに密着させておかなければ充分な精度で発熱状態を検出することができない。一方、ハロゲンヒータ４１ａの発光パターンは、ハロゲンヒータ４１ａから発せられる光を受光できるように光センサ６５を配設すれば、ハロゲンヒータ４１ａに密着させなくても充分な精度で検出できる。そのため、定着部１８の劣化または故障を光センサ６５により検出された発光状態に基づいて判定することは、温度センサ６４により検出される発熱状態に基づいて判定する場合と比べ、劣化または故障を正確に検出することができ、また、光センサ６５を配設するのに要する手間を削減することができる。
【０１１９】
さらに、定着部１８の劣化状態を判定するために使用される光センサ６５は、ハロゲンヒータ４１ａの発光状態を検出できればよいため、ハロゲンヒータ４１ａの取付状態を判定する機能を兼用することができる。そのため、定着部１８全体としての構成の単純化、および、製造コストの抑制といったことが実現できる。
【０１２０】
［変形例］
以上、本発明の実施形態について説明したが、本発明は上記の具体的な実施形態に限定されず、このほかにも様々な形態で実施することができる。
【０１２１】
例えば、上記実施形態においては、本発明における画像形成装置としての構成をレーザプリンタに適用したものを例示した。しかし、本発明における画像形成装置としては、印刷媒体に形成された画像を定着部により加熱して定着させる用途であれば、他の種類のプリンタに適用してもよい。
【０１２２】
また、上記実施形態においては、本発明の加熱装置としての構成をレーザプリンタにおける定着部に適用したものを例示した。しかし、本発明における加熱装置としては、ヒータにより加熱対象を加熱する用途であれば、他の装置に適用してもよい。
【０１２３】
また、上記実施形態のウォームアップ処理（図３）において、正しい種類のハロゲンヒータ４１ａが適切に取り付けられているか否かの判定に関する処理であるｓ１５０〜ｓ１７０の処理は、スタンバイ処理（図４）においても行われるように構成してもよい。具体的な構成としては、例えば、ｓ３８０の処理の後でｓ１５０の処理が行われるようにし、このｓ１５０の処理で「ＹＥＳ」であれば、ｓ３９０の処理へ移行し、「ＮＯ」であれば、ｓ１６０，ｓ１７０の処理を経て、ｓ３１０の処理へ戻る、といった構成である。
【０１２４】
また、この構成におけるｓ１５０の処理では、ｓ３９０の処理と同様にハロゲンヒータ４１ａの作動時間および停止時間から規定される発光パターンに基づいて、正しい種類のハロゲンヒータ４１ａが適切に取り付けられているか否かを判定するように構成してもよい。具体的には、ハロゲンヒータ４１ａの作動時間および停止時間から規定される発光パターンが、正しい種類のハロゲンヒータ４１ａが適切に取り付けられた場合における発光パターンと異なっている場合に、正しい種類のハロゲンヒータ４１ａが適切に取り付けられていないと判定する、といった構成である。このように構成すれば、発光パターンに基づいて正しい種類のハロゲンヒータ４１ａが適切に取り付けられているか否かを判定することができる。
【０１２５】
また、上記実施形態においては、図３におけるｓ１５０の処理で、正しい種類のハロゲンヒータ４１ａが適切に取り付けられているか否かを判定するように構成されたものを例示した。ただ、製造工程において正しい種類のハロゲンヒータ４１ａが取り付けられたレーザプリンタ１が、例えば、海外など想定されていない使用環境で使用された場合、このｓ１５０の処理において、正しい種類のハロゲンヒータ４１ａが適切に取り付けられていないと判定されることがある。具体的な例として、電源電圧２００Ｖ（または１００Ｖ）で使用することを前提に製造されたレーザプリンタが、電源電圧１００Ｖ（または２００Ｖ）で使用された場合には、ハロゲンヒータ４１ａが適切に取り付けられているにも拘わらず、光センサ６５により検出される光の光量は少なく（または大きく）なる。そのため、このような使用環境の異常をも検出するために、例えば、製造工程またはハロゲンヒータ４１ａを取り付け直した後、最初にｓ１５０の処理で「ＹＥＳ」の判定が行われたときは、適切に取り付けられたことを示す取付フラグに「１」がセットされるようにし、この取付フラグが「１」の状態においてｓ１５０の処理で「ＮＯ」の判定が行われたときには、使用環境の異常であると判定し、ｓ１７０の処理による通知ではなく、使用環境が異常である（具体的には、電源の異常）旨の報知を行う、ように構成するとよい。これによって、レーザプリンタを不適切な使用環境で使用してしまうことを防止できる。
【０１２６】
［本発明との対応関係］
以上説明した実施形態において、レーザプリンタ１は本発明における画像形成装置であり、定着部駆動回路６０およびハロゲンヒータ４１ａは本発明における加熱装置であり、光センサ６５は本発明における発光検出手段であり、温度センサ６４は本発明に温度検出手段である。
【０１２７】
また、感光ドラム２７は本発明における像担持体であり、スコロトロン型帯電器２９は本発明における帯電手段であり、スキャナユニット１６は本発明における潜像形成手段であり、現像ローラ３１は本発明における現像手段であり、転写ローラ３０は本発明における転写手段であり、定着部１８は本発明における定着手段である。
【０１２８】
また、図３において、ｓ１５０の処理は本発明における取付判定手段であり、ｓ１６０の処理は本発明における第１停止手段であり、ｓ１７０の処理は本発明における第１報知手段であり、ｓ２２０の処理は本発明における劣化判定手段であり、ｓ２５０の処理は本発明における第２停止手段であり、ｓ２７０の処理は本発明における第２報知手段である。
【０１２９】
また、図４において、ｓ４００の処理は本発明における劣化判定手段であり、ｓ４３０の処理は本発明における第２停止手段であり、ｓ４３０の処理は本発明における第２報知手段である。
【図面の簡単な説明】
【０１３０】
【図１】本実施形態におけるレーザプリンタの断面を示す図
【図２】定着部駆動回路の構成を示すブロック図
【図３】ウォームアップ処理の処理手順を示すフローチャート
【図４】スタンバイ処理の処理手順を示すフローチャート
【図５】光センサによる検出信号の時間経過に伴う出力レベルの変化を示す図
【符号の説明】
【０１３１】
１・・・レーザプリンタ、２・・・本体ケーシング、３・・・用紙、４・・・フィーダ部、５・・・画像形成部、６・・・給紙トレイ、７・・・用紙押圧板、８・・・給紙ローラ、９・・・分離パッド、１０・・・紙粉取りローラ、１２・・・レジストローラ、１４・・・マルチパーパストレイ、１５・・・マルチパーパス側給紙ローラ、１６・・・スキャナユニット、１７・・・プロセスユニット、１８・・・定着部、１９・・・ポリゴンミラー、２０・・・レンズ、２１・・・レンズ、２２・・・反射鏡、２４・・・反射鏡、２５・・・マルチパーパス側分離パッド、２６・・・ドラムカートリッジ、２７・・・感光ドラム、２８・・・現像カートリッジ、２９・・・スコロトロン型帯電器、３０・・・転写ローラ、３１・・・現像ローラ、３２・・・層厚規制ブレード、３３・・・供給ローラ、３４・・・トナーボックス、３５・・・回転軸、３６・・・アジテータ、３７・・・トナー供給口、３８・・・窓、３９・・・クリーナ、４１・・・加熱ローラ、４１ａ・・・ハロゲンヒータ、４１ａ・・・ハロゲンランプ、４２・・・押圧ローラ、４２ａ・・・モータ、４３・・・搬送ローラ、４３ａ・・・モータ、４４・・・排紙パス、４５・・・排紙ローラ、４７・・・反転搬送部、４８・・・反転搬送パス、４９・・・フラッパ、５０・・・反転搬送ローラ、５１・・・クリーニングローラ、６０・・・定着部駆動回路、６１・・・ローラ駆動回路、６２・・・電源回路、６３・・・遮断回路、６４・・・温度センサ、６５・・・光センサ、６６・・・制御回路、７０・・・制御部、７２・・・表示パネル。
【図１】
2005044752.tif 000003
【図２】
2005044752.tif 000004
【図３】
2005044752.tif 000005
【図４】
2005044752.tif 000006
【図５】
2005044752.tif 000007